(57)【特許請求の範囲】
【請求項１】
複数個の発光ダイオードを用いた照明装置において、
複数個の発光ダイオードを実装した回路基板を中空状の保護パイプの内部に密封して所定範囲を照射可能に構成した複数本の発光体を基台に着脱自在かつ照射範囲を変更自在に取付け、その基台を基枠フレームに取付け、基枠フレームの上部に上カバーを開閉自在に取付けるとともに、基枠フレームの下部に発光体から放射した光を透過させて周囲を照射する透明な下カバーを着脱自在に取付けたことを特徴とする照明装置。
【請求項２】
前記保護パイプは、中空円筒状のパイプ本体の左右端部に円板状の蓋体を取付けて内部を密封し、パイプ本体の直径部分にパイプ本体の内径と同一幅でパイプ本体と同一長さの回路基板を収容して、パイプ本体の対向する内面と蓋体の対向する内面とを回路基板の端面に当接させたことを特徴とする請求項１に記載の照明装置。
【請求項３】
前記基台を断面円弧状に形成し、基台の円弧状外周面に沿って複数本の発光体を取付けたことを特徴とする請求項１又は請求項２に記載の照明装置。
【発明の詳細な説明】
【技術分野】
【０００１】
本発明は、複数個の発光ダイオードを用いた発光体及び照明装置に関するものである。
【背景技術】
【０００２】
近年、照明装置には、消費電力が低く、寿命が長いことに注目して、発光ダイオードが多用されるようになってきている。
【０００３】
特に、近年においては、発光ダイオードの高輝度化に伴って、屋外で使用される街灯として利用される照明装置にも発光ダイオードが用いられるようになってきている。
【０００４】
そして、従来の発光ダイオードを用いた照明装置は、たとえば特許文献１に開示されているように、ケーシングの内部に回路基板を取付け、回路基板に複数個の発光ダイオードを実装した構造となっていた。
【０００５】
【特許文献１】特開２００６−３１０２３８号公報
【発明の開示】
【発明が解決しようとする課題】
【０００６】
ところが、上記従来の発光ダイオードを用いた照明装置にあっては、複数個の発光ダイオードを実装した回路基板をケーシングの内部に収容した構造であったために、使用する発光ダイオードの種類や回路基板の形状などによって照明装置の明るさや照射範囲が決定されてしまい、照明装置の設置後に照明装置の明るさや照射範囲を変更することが困難であった。
【０００７】
特に、屋外の街灯として使用される場合には、湿気により発光ダイオードと回路基板との実装部分（半田付け部分）が腐食して故障してしまうおそれもあった。
【課題を解決するための手段】
【０００８】
そこで、請求項１に係る本発明では、複数個の発光ダイオードを用いた照明装置において、複数個の発光ダイオードを実装した回路基板を中空状の保護パイプの内部に密封して所定範囲を照射可能に構成した複数本の発光体を基台に着脱自在かつ照射範囲を変更自在に取付け、その基台を基枠フレームに取付け、基枠フレームの上部に上カバーを開閉自在に取付けるとともに、基枠フレームの下部に発光体から放射した光を透過させて周囲を照射する透明な下カバーを着脱自在に取付けることにした。
【００１１】
また、請求項２に係る本発明では、前記請求項１に係る本発明において、前記保護パイプは、中空円筒状のパイプ本体の左右端部に円板状の蓋体を取付けて内部を密封し、パイプ本体の直径部分にパイプ本体の内径と同一幅でパイプ本体と同一長さの回路基板を収容して、パイプ本体の対向する内面と蓋体の対向する内面とを回路基板の端面に当接させることにした。
【００１２】
また、請求項３に係る本発明では、前記請求項１又は請求項２に係る本発明において、前記基台を断面円弧状に形成し、基台の円弧状外周面に沿って複数本の発光体を取付けることにした。
【発明の効果】
【００１３】
そして、本発明では、以下に記載する効果を奏する。
【００１４】
すなわち、本発明では、複数個の発光ダイオードを実装した回路基板を中空状の保護パイプの内部に密封することによって発光体を形成しているために、発光ダイオードと回路基板との実装部分を保護パイプで保護することができ、発光ダイオードと回路基板との実装部分の腐食による故障を防止することができる。
【００１５】
しかも、本発明では、複数本の発光体を基台に着脱自在かつ照射範囲を変更自在に取付けているために、照明装置を設置した後からでも、基台に装着する発光体の本数を変更することで照明装置の明るさを容易に変更することができるとともに、発光体の照射範囲を変更することで照明装置の照射範囲を容易に変更することができる。
【００１６】
また、本発明では、中空円筒状のパイプ本体の左右端部に円板状の蓋体を取付けて保護パイプの内部を密封するようにしており、パイプ本体の直径部分にパイプ本体の内径と同一幅でパイプ本体と同一長さの回路基板を収容することで、パイプ本体の対向する内面と蓋体18,18の対向する内面とを回路基板の端面に当接させているために、保護パイプの外圧を回路基板で受けることになり、保護パイプの外圧による変形や破損を防止することができる。
【００１７】
さらに、本発明では、断面円弧状に形成した基台の外周面に沿って複数本の発光体を取付けているために、広い範囲を照射できる照明装置とすることができる。
【発明を実施するための最良の形態】
【００１８】
以下に、本発明に係る複数個の発光ダイオードを用いた照明装置の具体的な構成について図面を参照しながら説明する。
【００１９】
図１〜図３に示すように、照明装置１は、支柱や電柱などに設置可能なケーシング２の内部に照明器具３を収容した構成となっている。
【００２０】
ケーシング２は、基枠フレーム４の上部に上カバー５を開閉自在に取付けるとともに、基枠フレーム４の前側下部に透明な下カバー６を着脱自在に取付け、さらには、基枠フレーム４の内側に照明器具３を着脱自在に取付けている。
【００２１】
そして、ケーシング２は、照明器具３から放射した光を下カバー６を透過させて周囲を照射するようにしており、また、上カバー５を開放することで照明器具３のメンテナンス作業を行えるようにしている。
【００２２】
照明器具３は、ケーシング２の基枠フレーム４に基台７を着脱自在に取付けるとともに、基台７の前後端部にホルダー8,8を取付け、前後一対のホルダー8,8で円柱状の発光体９を支持している。
【００２３】
基台７は、下方に向けて凸型の断面円弧状に形成した保持部10と、その保持部10の左右側部に矩形板状に形成した鍔部11,11とで構成し、鍔部11,11をケーシング２の基枠フレーム４に取付けている。
【００２４】
そして、基台７は、保持部10の円弧状外周面に複数本（ここでは、最大で７本）の発光体９をホルダー8,8を介して着脱自在に保持するようにしている。
【００２５】
ホルダー８は、基台７の保持部10に取付けた取付部12の先端に円弧状の左右一対の保持片13,13を左右に拡開可能に形成している。
【００２６】
そして、ホルダー８は、保持片13,13によって円柱状の発光体９を着脱自在かつ回転自在に保持するようにしている。
【００２７】
発光体９は、図４に示すように、透明な縦長中空円柱状の保護パイプ14の内部に縦長矩形板状の回路基板15を密閉状に収容するとともに、回路基板15に複数個（ここでは、１４個）の発光ダイオード16を縦一列に揃えて間隔をあけて実装している。なお、各発光体９は、外部から回路基板15に電源供給用の電線が接続されており、ケーシング２に収容した電源回路にコネクターを介して着脱自在に接続されている。
【００２８】
ここで、保護パイプ14は、中空円筒状のパイプ本体17の左右端部に円板状の蓋体18,18を取付けて内部を密封するようにしており、パイプ本体17の直径部分にパイプ本体17の内径と同一幅でパイプ本体17と同一長さの回路基板15を収容することで、パイプ本体17の対向する内面と蓋体18,18の対向する内面とを回路基板15の端面に当接させ、これにより、保護パイプ14の外圧を回路基板15で受けて保護パイプ14の外圧による変形や破損を防止するようにしている。
【００２９】
この発光体９は、図５に示すように、回路基板15に同一種類の発光ダイオード16を縦一列に並べて実装することによって、回路基板15の前方側の所定範囲（図５中にａで示す範囲）を照射するように構成している。
【００３０】
そして、基台７の前後一対のホルダー8,8の間に装着した各発光体９を回転させることによって、各発光体９の照射範囲ａを変更することができ、これにより、照明装置１で照射できる範囲（図５中にｂ又はｃで示す範囲）を変更することができるようになっている。
【００３１】
また、上記照明器具３では、基台７に設けた全てのホルダー8,8に発光体９を装着することで合計７本の発光体９を装着しているが、これに限られず、必要に応じた本数の発光体９をいずれかのホルダー8,8に装着するようにしてもよく、装着する発光体９の本数によって照明装置１で照射できる明るさを変更することができるようになっている。
【００３２】
以上に説明したように、上記照明装置１では、複数個の発光ダイオード16を実装した回路基板15を中空状の保護パイプ14の内部に密封することによって発光体９を形成している。
【００３３】
そのため、上記照明装置１では、発光ダイオード16と回路基板15との実装部分を保護パイプ14で保護することができ、発光ダイオード16と回路基板15との実装部分の腐食による故障を防止することができる。
【００３４】
また、上記照明装置１では、複数本の発光体９を基台７に着脱自在かつ照射範囲ａを変更自在に取付けている。
【００３５】
そのため、上記照明装置１では、照明装置１を設置した後からでも、基台７に装着する発光体９の本数を変更することで照明装置１の明るさを容易に変更することができるとともに、発光体９の照射範囲ａを変更することで照明装置１の照射範囲b,cを容易に変更することができる。
【００３６】
また、上記照明装置１では、断面円弧状に形成した基台７の外周面に沿って複数本の発光体９を取付けている。
【００３７】
そのため、上記照明装置１では、広い範囲を照射できる照明装置１とすることができる。
【図面の簡単な説明】
【００３８】
【図１】照明装置を示す側面図。
【図２】同平面図。
【図３】同正面拡大断面図。
【図４】発光体を示す斜視図。
【図５】照明装置の照射範囲を示す説明図（(a)照射範囲を広げた状態。(b)照射範囲を狭めた状態。）。
【符号の説明】
【００３９】
１  照明装置                            ２  ケーシング
３  照明器具                            ４  基枠フレーム
５  上カバー                            ６  下カバー
７  基台                                ８  ホルダー
９  発光体                              10  保持部
11  鍔部                                12  取付部
13  保持片                              14  保護パイプ
15  回路基板                            16  発光ダイオード
17  パイプ本体                          18  蓋体
【要約】
【課題】照射範囲や明るさを容易に変更可能な照明装置を提供すること。
【解決手段】本発明では、複数個の発光ダイオード（１６）を用いた照明装置（１）において、複数個の発光ダイオード（１６）を実装した回路基板（１５）を中空状の保護パイプ（１４）の内部に密封して所定範囲を照射可能に構成した複数本の発光体（９）を基台（７）に着脱自在かつ照射範囲を変更自在に取付けることにした。特に、前記基台（７）を断面円弧状に形成し、基台（７）の円弧状外周面に沿って複数本の発光体（９）を取付けることにした。
【選択図】図１【図１】
0004234185.tif 000002
【図２】
0004234185.tif 000003
【図３】
0004234185.tif 000004
【図４】
0004234185.tif 000005
【図５】
0004234185.tif 000006